(57)【要約】【課題】高所作業時、例えば発電所の断路器などに備えられている碍子の保守点検作業において、作業者の体勢を安全に確保できると共に、柱状物である碍子の破損を防止できるようにする。【解決手段】柱状物、例えば発電所の断路器などに備えられている碍子に取付け可能な作業用の補助具であって、碍子の所定部分を覆うと共にこの碍子に取付けられた捲装本体１にベルト輪３を備え、このベルト輪３は、当該捲装本体１に加わる重量を支持するものである。【選択図】  図１
2008154947.tif 000002
【特許請求の範囲】
【請求項１】
柱状物に取付け可能な作業用の補助具であって、
前記柱状物の所定部分を覆うと共に当該柱状物に取付けられる覆い部材と、
前記覆い部材の所定の位置に取り付けられ、当該覆い部材を前記柱状物に固定する固定部材と、
前記固定部材によって前記柱状物に固定された前記覆い部材に加わる重量を支持する所定形状の支持部材とを備えることを特徴とする作業用補助具。
【請求項２】
前記覆い部材は、
前記覆い部材の所定の位置に取り付けられ、前記覆い部材を前記柱状物に密着させて揺れを抑える揺れ抑え部材を備えることを特徴とする請求項１に記載の作業用補助具。
【請求項３】
前記覆い部材は、
引張や耐磨耗性に優れた繊維素材であり、小さく丸められることを特徴とする請求項１に記載の作業用補助具。
【請求項４】
前記覆い部材は、
ボルトやナット、工具などを収納するポケットを備えることを特徴とする請求項１に記載の作業用補助具。
【請求項５】
前記覆い部材は、
前記覆い部材の所定の位置に取り付けられ、前記固定部材の伸縮を調整する伸縮調整部材を備えることを特徴とする請求項１に記載の作業用補助具。
【請求項６】
前記支持部材は、
身体の一部を引掛けるＵ字型形状であることを特徴とする請求項１に記載の作業用補助具。
【請求項７】
前記支持部材は、
前記Ｕ字型形状を維持する心棒を備えることを特徴とする請求項６に記載の作業用補助具。
【請求項８】
前記支持部材は、
複数個取付けられることを特徴とする請求項１に記載の作業用補助具。
【請求項９】
前記固定部材は、
前記伸縮調整部材により前記柱状物の大きさに合せて伸縮が調整されることを特徴とする請求項５に記載の作業用補助具。
【請求項１０】
前記固定部材は、
安全帯の胴綱と混同しないように着色されていることを特徴とする請求項１に記載の作業用補助具。
【発明の詳細な説明】
【技術分野】
【０００１】
この発明は、柱状物に取付け可能な作業用の補助具に適用して好適な作業用補助具に関するものである。
【背景技術】
【０００２】
従来、柱状物に取付け可能な作業用の補助具として安全帯の胴綱が使用されてきた。例えば、図８は従来例としての安全帯の胴綱５０の使用例を示す説明図である。図８に示す安全帯の胴綱５０は、例えば、変電所などの備えられている断路器の碍子１１に登って碍子１１の頂部に備えられた接続端子１２などの保守点検作業を行う際に、作業体勢を維持するものである。
【０００３】
作業者は、ベルト１５を作業者の腰に備えており、このベルト１５に安全帯の胴綱５０の一端を固定し、もう一端を碍子１１に回してベルト１５にフックなどで固定する。このようにすることで、安全帯の胴綱５０により作業者の体重を支えることができると共に、作業体勢を確保できるようにしたというものである。
【０００４】
このような作業用の安全帯の胴綱５０に関連して、特許文献１には柱上安全帯ロープが開示されている。この柱上安全帯ロープによれば、柱状物に回されるロープ３の端部に連結され、切欠き部１４ａを有した連結部材１２を備え、切欠き部１４ａを障害物である支持棒Ｂ１に通し、通した後、この切欠き部１４ａを１８０度回動移動させ、支持棒Ｂ１を連結部材１２から通過させる。このようにすることで、柱状物と身体とに掛け回した状態のままで、障害物を通過できるようにしたというものである。
【０００５】
また、特許文献２には、変電所における絶縁碍子の保守点検作業用の昇降架台が開示されている。この昇降架台によれば、油圧ユニット１２を備え、油圧ユニット１２により昇降台７を所要位置まで上昇させる。このようにすることで、足場のよい平坦な踊り場を設置できるので、安定した姿勢による確実な保守点検作業ができるというものである。
【０００６】
【特許文献１】特開平０７−２４６２４８号公報（第３頁、第１図）
【特許文献２】実開平０５−６２１１４号公報（第８頁、第１図）
【発明の開示】
【発明が解決しようとする課題】
【０００７】
ところで、従来例に係る安全帯の胴綱によれば特許文献１に見られるように、足元を固定する補助具が無いので足元が不安定であり、更に作業靴が柱状物に直接触れるので柱状物を破損する恐れがある。例えば、発電所の変圧器などに備えられている碍子は、磁器製で衝撃にも弱く、更に上薬が塗布してあるので滑りやすい。作業中に変圧器の碍子を破損させ絶縁が低下した場合、絶縁油を抜くなどの大変な作業になる。また、作業員は、これだけ繊細な機器に対して慣れない高所で、地上作業と同じ作業靴を履き、碍子のヒダの上に足を掛けた不安定な状態での作業を強いられている。
【０００８】
また、特許文献２に見られるように、昇降架台は、柱状物の種類や設置状況によって利用できない可能性がある。また、昇降架台を作業目的の柱状物に運搬するには、労力とコストがかかり、設置台数にも限りがあるので作業時間が多くかかる。
【０００９】
そこで、本発明はこのような従来例に係る課題を解決したものであって、高所作業時等において、足場用の補助具を工夫して作業者の体勢を安全に確保できるようにすると共に、柱状物の破損を防止できるようにした作業用補助具を提供することを目的とする。
【課題を解決するための手段】
【００１０】
上述した課題を解決するために、請求項１に記載の作業用補助具は、柱状物に取付け可能な作業用の補助具であって、前記柱状物の所定部分を覆うと共に当該柱状物に取付けられる覆い部材と、前記覆い部材の所定の位置に取り付けられ、当該覆い部材を前記柱状物に固定する固定部材と、前記固定部材によって前記柱状物に固定された前記覆い部材に加わる重量を支持する所定形状の支持部材とを備えることを特徴とするものである。
【００１１】
本発明に係る作業用補助具によれば、覆い部材は、柱状物の所定部分を覆う。固定部材は、当該覆い部材を柱状物に固定する。支持部材は、固定部材によって柱状物に固定された覆い部材に加わる重量を支持する。例えば、支持部材は、身体の一部を引掛けるＵ字型形状である。
【００１２】
従って、高所作業時等において、作業者の身体の一部を支持部材に引掛けることができ、支持部材を足場とすることで、作業者の体勢を安全に確保できると共に、柱状物の破損を防止できるようになる。
【発明の効果】
【００１３】
本発明に係る作業用補助具によれば、柱状物の所定部分を覆うと共に当該柱状物に取付けられた覆い部材に支持部材を備え、この支持部材は、当該覆い部材に加わる重量を支持するものである。
【００１４】
この構成によって、高所作業時等において、作業者の身体の一部を支持部材に引掛けることができ、この支持部材を足場とすることで、作業者の体勢を安全に確保できると共に、柱状物の破損を防止できるようになる。
【発明を実施するための最良の形態】
【００１５】
続いて、本発明に係る実施形態としての作業用補助具について、図面を参照しながら説明をする。
【実施例１】
【００１６】
図１は、本発明に係る第１の実施例としての作業用補助具１００の構成例を示す正面図である。この実施例で、図１に示す作業用補助具１００は作業用補助具の一例を構成し、柱状物に取付け可能であって、捲装本体１、ロープ２及びベルト輪３を備える。
【００１７】
捲装本体１は覆い部材の一例であり、ポケット４、ポケット１６、伸縮調整器５及びＤ環６を備え、柱状物の所定部分を覆うと共に柱状物に取付けられる。捲装本体１は、縦が１２０ｃｍ〜１８０ｃｍ程度、横が１５ｃｍ〜３０ｃｍ程度の長方形の形状である。長方形の形状の捲装本体１の横の範囲が柱状物の外周の３分の２程度を覆うように取付けられる。捲装本体１は、引張や耐磨耗性に優れた特殊繊維素材であり、小さく丸められる。従って、保管時や柱状物の昇降時に小さくすることができる。また、作業中の工具墜落により工具が柱状物に衝突して柱状物が破損するのを防ぐ為に、例えば２枚の捲装本体１を中綿を挟んで縫合し、工具落下の衝突に耐える厚みを持たせるようにする。
【００１８】
伸縮調整器５及びＤ環６は、捲装本体１の上部の両端に取付けられる。伸縮調整器５は、柱状物の大きさに合せてロープ２を伸縮調整する。例えば、ロープ２の一端を伸縮調整器５に通して固定し、ロープ２の他端を柱状物の外周を一回りさせてＤ環６に係止し、伸縮調整器５により固定したロープ２の一端を引張り、捲装本体１が柱状物に固定されるように体の正面で締め付けてロープ２の伸縮を調整する。
【００１９】
ロープ２は固定部材の一例であり、回転式フック７を備え、伸縮調整器５及びＤ環６により捲装本体１の上部に取り付けられて捲装本体１を柱状物に固定する。例えば、ロープ２の一端を柱状物の大きさに合せて伸縮調整する伸縮調整器５に通して固定し、ロープ２の他端に取付けられた回転式フック７を柱状物の外周に一回りさせてＤ環６に引っ掛けて係止する。そして、伸縮調整器５により固定したロープ２の一端を引張り、捲装本体１が柱状物に固定されるように柱状物の大きさに合せて体の正面で伸縮の調整をする。ロープ２および回転式フック７は、安全帯の胴綱と混同しないように着色されている。
【００２０】
ポケット４は、伸縮調整器５及びＤ環６の下側に、縦長であるポケット４が２個と、更にその下に横長のポケット１６が１個取り付けられる。例えば、縦長のポケット４には、長丈物であるハンマーやドライバーなどが収納され、横長のポケット１６には、短丈物であるボルトやナット、工具などが収納される。また、ポケット４、１６は、上述したポケット４、１６の位置や数にこだわることなく、作業の条件に合せて適時取り付け可能である。
【００２１】
これにより、ドライバーやボルトなどの落下を防止することができると共に、腰に保持した工具入れの重量を軽減することができる。従って、足元が安定して上半身の体勢に自由度が生まれ、注意力を手元に集中することができるので、疲労が軽減し、安全性や効率性が向上する。
【００２２】
ベルト輪３は支持部材の一例であり、身体の一部を引掛けるＵ字型形状をしている。ベルト輪３は捲装本体１の下部の両端に、対峙する左右のベルト輪３が同じ高さになるように左右各２個づつ取付けられ、上下の高さを２段階に調整する。このように個取付けることで、身長差による使いにくさを改善することができる。また、取付ける位置や個数はこれにこだわることはなく、４個以上取り付けることも可能である。
【００２３】
ベルト輪３は、引張や耐磨耗性に優れた特殊繊維素材であり、Ｕ字型形状を維持する心棒を中心に保持して特殊繊維を縫合する。このように構成することにより、ベルト輪３がＵ字型形状を維持できるので、作業靴をベルト輪３に引っ掛けることが容易になる。このベルト輪３はロープ２によって柱状物に固定された捲装本体１に加わる重量を支持する。従って、高所作業時等において、作業者の両足をベルト輪３に引掛けることができ、このベルト輪３を足場とすることで、作業者の体勢を安全に確保できると共に、柱状物の破損を防止できるようになる。また、作業用補助具１００は、構成が単純であるため作業者の人数分だけ用意できるので、並行して作業できる。
【００２４】
[取付け例１]
図２は、変電所の構成例の一部分を示す概念図である。図２に示す変電所は、断路器２０、遮断器２１、避雷器２２、変圧器２３、架空地線２４及び架空電線２５から構成される。
【００２５】
断路器２０は、架空電線２５、変圧器２３及び遮断器２１などを保守点検する場合に電気の供給を止めるものである。遮断器２１は、事故、又は電力の送電、停止の場合に電気を遮断するものである。避雷器２２は、落雷時の異常電圧を抑制し変電所の各機器を保護するものである。変圧器２３は、電圧を変更するものである。
【００２６】
これらの各機器と架空電線２５との間には絶縁体である碍子１１が備えられ、対地との絶縁を保っている。作業者はこの柱状物である碍子１１に登って、碍子１１の頂部に備えられている図示しない回転機構、接触機構及び図３で示す接続端子１２などの保守点検を行う。
【００２７】
図３（ａ）及び（ｂ）は、作業用補助具１００の取り付け例を示す説明図である。図３（ａ）に示す碍子１１は、断路器２０などに備えられている。
【００２８】
作業者は地上での準備として、作業用補助具１００をベルト輪３が備えられた一端から上述した縦方向に丸める。例えば丸めた作業用補助具１００をバンドなどで縛る。そして、携帯している工具収納鞄に収納する。
【００２９】
収納した状態で、碍子１１の頂部近傍まで図４に示す安全帯の胴綱１４を碍子１１のヒダに引っ掛けながら登る。また、高所作業車で移動してもよい。作業場所である碍子１１の頂部に到着すると、両足を碍子１１のヒダに引っ掛け、安全帯の胴綱１４で体勢を維持した状態で、丸めて収納された作業用補助具１００を工具収納鞄から取り出してバンドを外し、先ほど地上で丸めた作業用補助具１００の両角を両手で掴み、丸められた作業用補助具１００を重力方向へ解放する。重力方向へ解放された作業用補助具１００は、丸められた状態から垂れ幕状態になる。
【００３０】
垂れ幕状態の作業用補助具１００において、ロープ２の一端が伸縮調整器５に固定されていることを確認し、ポケット４等が備えられている面を作業者の正面にして碍子１１の頂部近傍に取付ける。例えば、回転式フック７を有しているロープ２の他端を碍子１１の外周に回して回転式フック７をＤ環６に係止する。このとき、捲装本体１と碍子１１とが密着固定されていなければ、伸縮調整器５に通されたロープ２の一端を引っ張り更に締め付ける。図３（ｂ）に示す作業用補助具１００は、上述のようにして取り付けられたものである。取り付け完了後、ベルト輪３に両足を掛けて体勢を確保し、接続端子１２などの保守点検作業を開始する。
【００３１】
従って、断路器２０の碍子１１に登って行う保守点検作業において、作業者の両足をベルト輪３に引掛けることができ、ベルト輪３を足場とすることで、作業者の体勢を安全に確保できると共に、碍子１１の破損を防止できるようになる。
【００３２】
図４は、作業用補助具１００の使用例を示す説明図である。図４に示す作業者は安全帯の胴綱１４を装着し、図３で碍子１１に取付けた作業用補助具１００のベルト輪３に両足を通して断路器２０の保守点検作業を行っているところである。
【００３３】
このように、本発明に係る第１の取付け例としての作業用補助具１００によれば、碍子１１の所定部分を覆うと共に当該碍子１１に取付けられた捲装本体１にベルト輪３を備え、このベルト輪３は、当該捲装本体１に加わる重量を支持するものである。
【００３４】
従って、変電所の断路器などに備えられている碍子１１において、作業者の両足をベルト輪３に引掛けることができ、このベルト輪３を足場とすることで、作業者の体勢を安全に確保できると共に、碍子１１の破損を防止できるようになる。
【実施例２】
【００３５】
図５は、本発明に係る第２の実施例としての作業用補助具２００の構成例を示す正面図である。図５に示す作業用補助具２００は、柱状物に取付け可能であって、捲装本体１、ロープ２、ベルト輪３及び揺れ抑えバンド８を備える。
【００３６】
捲装本体１は、ポケット４、ポケット１６、伸縮調整器５及びＤ環６を備え、柱状物の所定部分を覆うと共に柱状物に取付けられる。捲装本体１は、縦が１２０ｃｍ〜１８０ｃｍ程度、横が１５ｃｍ〜３０ｃｍ程度の長方形の形状である。捲装本体１は、引張や耐磨耗性に優れた特殊繊維素材であり、小さく丸められる。また、作業中の工具墜落により工具が柱状物に衝突して柱状物が破損するのを防ぐ為に、例えば２枚の捲装本体１を中綿を挟んで縫合し、工具落下の衝突に耐える厚みを持たせるようにする。
【００３７】
伸縮調整器５及びＤ環６は、捲装本体１の上部の両端に取付けられる。伸縮調整器５は、柱状物の大きさに合せてロープ２を伸縮調整する。例えば、ロープ２の一端を伸縮調整器５に通して固定し、ロープ２の他端を柱状物の外周を一回りさせてＤ環６に係止し、伸縮調整器５により固定したロープ２の一端を引張り、捲装本体１が柱状物に固定されるように体の正面で締め付けてロープ２の伸縮を調整する。
【００３８】
ポケット４は、伸縮調整器５及びＤ環６の下側に、縦長であるポケット４が２個と、更にその下に横長のポケット１６が１個取り付けられる。例えば、縦長のポケット４には、長丈物であるハンマーやドライバーなどが収納され、横長のポケット１６には、短丈物であるボルトやナット、工具などが収納される。
【００３９】
ロープ２は回転式フック７を備え、伸縮調整器５及びＤ環６により捲装本体１の上部に取り付けられて捲装本体１を柱状物に固定する。例えば、ロープ２の一端を伸縮調整器５に通して固定し、ロープ２の他端に取付けられた回転式フック７を柱状物の外周に一回りさせてＤ環６に引っ掛けて係止する。そして、伸縮調整器５により固定したロープ２の一端を引張り、捲装本体１が柱状物に固定されるように柱状物の大きさに合せて体の正面で伸縮の調整をする。
【００４０】
ベルト輪３は、身体の一部を引掛けるＵ字型形状をしている。ベルト輪３は捲装本体１の下部の両端に、対峙する左右のベルト輪３が同じ高さになるように左右各２個づつ取付けられ、上下の高さを２段階に調整する。ベルト輪３は、引張や耐磨耗性に優れた特殊繊維素材であり、Ｕ字型形状を維持する心棒を中心に保持して特殊繊維を縫合する。このベルト輪３は柱状物に固定された捲装本体１に加わる重量を支持する。
【００４１】
従って、高所作業時等において、作業者の両足をベルト輪３に引掛けることができ、このベルト輪３を足場とすることで、作業者の体勢を安全に確保できると共に、柱状物の破損を防止できるようになる。
【００４２】
揺れ抑えバンド８は、特殊繊維素材でベルト形状をしている。揺れ抑えバンド８の一端は捲装本体１の中部の片側に固定され、もう一端はアタッチメント用凸部１０が備えられている。更に、アタッチメント用凸部１０に係止させるアタッチメント用凹部９が捲装本体１の中部のもう片側に備えられている。揺れ抑えバンド８のアタッチメント用凸部１０を柱状物の外周に一周りさせ、捲装本体１を柱状物に密着させて捲装本体１の揺れを抑えるようにアタッチメント用凹部９に係止する。従って、第１の実施例における作業用補助具１００と比較して作業用補助具２００は、作業中に捲装本体１が左右に揺れるのを抑えることができる。
【実施例３】
【００４３】
図６は、本発明に係る第３の実施例としての作業用補助具３００の構成例を示す正面図である。図６に示す作業用補助具３００は、柱状物に取付け可能であって、捲装本体１、ロープ２及びベルト輪３を備える。
【００４４】
捲装本体１は、ポケット４、ポケット１６、伸縮調整器５及びＤ環６を備え、柱状物の所定部分を覆うと共に柱状物に取付けられる。捲装本体１は、縦が１２０ｃｍ〜１８０ｃｍ程度、横が１５ｃｍ〜３０ｃｍ程度の長方形の形状である。捲装本体１は、引張や耐磨耗性に優れた特殊繊維素材であり、小さく丸められる。また、作業中の工具墜落により工具が柱状物に衝突して柱状物が破損するのを防ぐ為に、例えば２枚の捲装本体１を中綿を挟んで縫合し、工具落下の衝突に耐える厚みを持たせるようにする。
【００４５】
伸縮調整器５及びＤ環６は、捲装本体１の上部の両端に取付けられる。伸縮調整器５は、柱状物の大きさに合せてロープ２を伸縮調整する。例えば、ロープ２の一端を伸縮調整器５に通して固定し、ロープ２の他端を柱状物の外周を一回りさせてＤ環６に係止し、伸縮調整器５により固定したロープ２の一端を引張り、捲装本体１が柱状物に固定されるように体の正面で締め付けてロープ２の伸縮を調整する。
【００４６】
ポケット４は、伸縮調整器５及びＤ環６の下側に、縦長であるポケット４が２個と、更にその下に横長のポケット１６が１個取り付けられる。例えば、縦長のポケット４には、長丈物であるハンマーやドライバーなどが収納され、横長のポケット１６には、短丈物であるボルトやナット、工具などが収納される。
【００４７】
ロープ２は回転式フック７を備え、伸縮調整器５及びＤ環６により捲装本体１の上部に取り付けられて捲装本体１を柱状物に固定する。例えば、ロープ２の一端を伸縮調整器５に通して固定し、ロープ２の他端に取付けられた回転式フック７を柱状物の外周に一回りさせてＤ環６に引っ掛けて係止する。そして、伸縮調整器５により固定したロープ２の一端を引張り、捲装本体１が柱状物に固定されるように柱状物の大きさに合せて体の正面で伸縮の調整をする。
【００４８】
ベルト輪３は、身体の一部を引掛けるＵ字型形状をしている。ベルト輪３は捲装本体１の下部の両端に、対峙する左右のベルト輪３が同じ高さになるように左右各５個づつ取付けられ、上下の高さを５段階に調整する。ベルト輪３は、引張や耐磨耗性に優れた特殊繊維素材であり、Ｕ字型形状を維持する心棒を中心に保持して特殊繊維を縫合する。このベルト輪３は柱状物に固定された捲装本体１に加わる重量を支持する。
【００４９】
例えば、作業用補助具３００には、ベルト輪３が第１の実施例で両端に２個づつ取付けられていたのに加えて、捲装本体１の中部両端から上部両端にわたって両端に３個づつ追加して取付けられている。この結果、捲装本体１には、ベルト輪３が両端に５個づつ取付けられ、全合計１０個が取付けられる。これにより、作業体勢の自由度が増すと共に、はしごのように使用することができる。例えば、柱状物の低所に作業用補助具３００を取り付け、取付けられた作業用補助具３００のベルト輪３に足を一歩づつ引っ掛けながら登り、高所へ移動することができる。従って、高所へ移動する際に、両足又は両手をベルト輪３に引掛けることができ、このベルト輪３を利用することで、作業者の体勢を安全に確保できると共に、柱状物の破損を防止できるようになる。
【００５０】
第１及び第２の実施例では、作業用補助具１００、２００を碍子１１の頂部に取付けるまでに、碍子１１のヒダに作業靴が直接接触するので碍子１１が破損する恐れがある。ここで、作業用補助具３００と作業用補助具１００又は２００とを併用すれば、作業用補助具１００、２００を碍子１１の頂部に取付ける過程で、碍子１１のヒダに作業靴が直接接触するのを回避できる。なお、ベルト輪３の個数は、１０個にこだわることなく更に増やしてもよい。
【００５１】
[取付け例２]
図７（ａ）及び（ｂ）は、作業用補助具３００の取り付け例を示す説明図である。作業者は地上での準備として、作業用補助具３００をベルト輪３が備えられた一端から上述した縦方向に丸める。例えば丸めた作業用補助具３００をバンドなどで縛る。そして、携帯している工具収納鞄に収納する。
【００５２】
収納した状態で、碍子１１の根元近傍まで移動する。碍子１１の根元に到着すると、丸めて収納された作業用補助具３００を工具収納鞄から取り出してバンドを外し、先ほど地上で丸めた作業用補助具３００の両角を両手で掴み、丸められた作業用補助具１００を重力方向へ解放する。重力方向へ解放された作業用補助具３００は、丸められた状態から垂れ幕状態になる。
【００５３】
垂れ幕状態の作業用補助具３００において、ロープ２の一端が伸縮調整器５に固定されていることを確認し、ポケット４等が備えられている面を作業者の正面にして碍子１１の下段の頂部近傍に取付ける。例えば、回転式フック７を有しているロープ２の他端を碍子１１の外周に回して回転式フック７をＤ環６に係止する。このとき、捲装本体１と碍子１１とが密着固定されていなければ、伸縮調整器５に通されたロープ２の一端を引っ張り更に締め付ける。図７（ｂ）に示す作業用補助具３００は、上述のようにして取り付けられたものである。取り付け完了後、作業者は、作業用補助具３００のベルト輪３に両足又は両手を掛けて碍子１１の上段へ移動する。
【００５４】
このように、本発明に係る第２の取付け例としての作業用補助具３００によれば、碍子１１の所定部分を覆うと共に当該碍子１１に取付けられた捲装本体１にベルト輪３を備え、このベルト輪３は、当該捲装本体１に加わる重量を支持するものである。
【００５５】
従って、発電所の断路器などに備えられている碍子１１において、作業者の両足又は両手をベルト輪３に引掛けることができ、このベルト輪３を利用することで、作業者の体勢を安全に確保できると共に、碍子１１の破損を防止できるようになる。
【００５６】
なお、超大型の碍子１１の場合、作業者は高所作業車で碍子１１の頂部に移動し、そこから碍子１１に乗り移って作業用補助具１００を碍子１１に取付けることにより、高所作業車を占有しないので、１台の高所作業車を効率的に使用することができる。
【００５７】
また、足元に昇降用のボルトなどの間隔が狭く、都合の良い足場が確保できない機器には、限られたボルトに作業用補助具１００をかけることで、中間位置での作業が容易になる。
【００５８】
また更に、林業において、強度のある太い枝に作業用補助具１００を固定すれば、途中の細い枝の伐採ができる。
【産業上の利用可能性】
【００５９】
本発明は、柱状物に取付け可能な作業用の補助具などに適用して好適である。
【図面の簡単な説明】
【００６０】
【図１】本発明に係る第１の実施例としての作業用補助具１００の構成例を示す正面図である。
【図２】変電所の構成例の一部分を示す概念図である。
【図３】（ａ）及び（ｂ）は、作業用補助具１００の取り付け例を示す説明図である。
【図４】作業用補助具１００の使用例を示す説明図である。
【図５】本発明に係る第２の実施例としての作業用補助具２００の構成例を示す正面図である。
【図６】本発明に係る第３の実施例としての作業用補助具３００の構成例を示す正面図である。
【図７】（ａ）及び（ｂ）は、作業用補助具３００の取り付け例を示す説明図である。
【図８】従来例に係る安全帯の胴綱５０の使用例を示す説明図である。
【符号の説明】
【００６１】
１  特殊繊維布（覆い部材）
２  ロープ（固定部材）
３  ベルト輪（支持部材）
４  ポケット
５  伸縮調整器
６  Ｄ環
７  回転式フック
８  揺れ抑えバンド
９  アタッチメント用凹部
１０  アタッチメント用凸部
１１  碍子
【図１】
2008154947.tif 000003
【図２】
2008154947.tif 000004
【図３】
2008154947.tif 000005
【図４】
2008154947.tif 000006
【図５】
2008154947.tif 000007
【図６】
2008154947.tif 000008
【図７】
2008154947.tif 000009
【図８】
2008154947.tif 000010